(57)【特許請求の範囲】
【請求項１】
マルチ栽培技術に用いられるマルチフィルムに種子を付着するための種子付着装置であって、
前記種子付着装置は、本体フレームの後方に、マルチフィルムが巻き取られた供給ボビンが据え置きされるマルチフィルム供給部と、
前記本体フレームに、マルチフィルム供給部から供給されるマルチフィルムが、複数のアイドルローラを介して移送されるガイド移送部と、
前記マルチフィルム供給部の下部に、移送されるマルチフィルムに接着剤が塗布され、発芽孔が開けるように設けられる移送ローラと、
前記移送ローラの一側に、マルチフィルムに種子付着のための接着剤を塗布する接着剤塗布部と、
前記接着剤塗布部の反対側に、該塗布した接着剤の両側のマルチフィルムで発芽孔を開ける発芽孔穿孔部と、
前記本体フレームの前方に移送されるマルチフィルムの接着剤が塗布された部分に、種子を付着する種子取付部と、
前記種子取付部の上部に種子が付着した接着剤を、送風によって乾燥する乾燥部と、
前記乾燥部の前方に接着剤が乾燥し、種子が付着されたマルチフィルムを駆動手段によって回転し、且つ巻き取る巻取部とを含み、 
前記乾燥部は、一側に設けられる送風機と、前記送風機に連結管で連結され、マルチフィルムの幅と同一又は大きい幅に形成されるエアチャンバと、前記エアチャンバのマルチフィルムが移送される面に、そのマルチフィルムに付着した種子の間隔で、複数の排気孔が並んで形成されてエアを排気する排気部とを含み、
更に、前記種子取付部と乾燥部の間のマルチフィルムが移送されるアイドルローラの下部に、前記種子取付部と同一の構造の種子が付着した接着剤で、添加剤を付着するための添加剤取付部を含むことを特徴とする種子付着装置。 
【請求項２】
更に、前記移送ローラは、中間にマルチフィルムを支持する第１の支持突起と、該第１の支持突起の両側に所定の間隔で形成されるそれぞれの第２の支持突起とが、一定の間隔を置いて複数形成されることを特徴とする請求項１に記載の種子付着装置。 
【請求項３】
前記接着剤塗布部は、接着剤が排出され、且つ、第１の支持突起により支持されるマルチフィルムと接するように、所定の間隔で形成される複数の接着剤排出ノズルと、前記接着剤排出ノズルの下部に塗布された接着剤をムラなく広がるように設けられるそれぞれの塗布ブラシとを含むことを特徴とする請求項２に記載の種子付着装置。 
【請求項４】
前記発芽孔穿孔部は、前記第１の支持突起の両側の第２の支持突起の間で、マルチフィルムにそれぞれの発芽孔を開けるように設けられる一対の穿孔ヒータであることを特徴とする請求項２に記載の種子付着装置。 
【請求項５】
前記種子取付部は、付着しようとする種子が収容される円弧状の種子収容フレームと、前記種子収容フレームの下部に、駆動手段と連結される動力伝達部材によって回転される複数のカムによって、上下に旋回運動しながら移送されるマルチフィルムに塗布された接着剤部分に、種子を付着する旋回駆動部とを含むことを特徴とする請求項１に記載の種子付着装置。 
【請求項６】
前記巻取部は、一端が駆動手段によって回転し、且つ、巻取ボビンの一端が結合される回転支持具と、他端にシリンダによって、巻取ボビンの他端を脱着自在にに設ける脱着支持具とを含み、前記回転支持具及び脱着支持具は、巻取ボビンに巻き取られるマルチフィルムに付着された種子が、千鳥状に巻き取られるように設けられる整列手段とを含むことを特徴とする請求項１に記載の種子付着装置。 
【請求項７】
前記整列手段は、回転支持具及び脱着支持具が左右に繰り返すように摺動可能に設けられるスライド部材と、前記一側のスライド部材と駆動源によって回転されるカムに連結される複数の連結リンクとを含むことを特徴とする請求項６に記載の種子付着装置。 
【請求項８】
更に、前記マルチフィルム供給部には、マルチフィルムが巻き取られた供給ボビンの両側を支持する一対のアイドルボビン軸に、巻きほぐれ防止のための一対のディスクパッドを、含むことを特徴とする請求項１に記載の種子付着装置。 
【請求項９】
前記種子取付部は、接着剤が塗布された側のマルチフィルム上に位置して、種子を移送すると共に排出させて、接着剤で種子が付着するように供給する種子供給部と、前記種子供給部の下部のマルチフィルムが移送されるガイドローラの前方に、前記接着剤で付着した種子を押圧によって付着する押圧ローラと、前記押圧ローラとガイドローラの下部に、接着剤で付着されない種子を回収する種子回収部とを含むことを特徴とする請求項１に記載の種子付着装置。 
【請求項１０】
前記種子供給部は、底面にマルチフィルムに塗布された接着剤と同一の位置に形成され、種子が排出される複数の排出孔が形成される種子供給管と、前記種子供給管の内部に、前記排出孔に種子が排出されるように種子を移送させる移送スクリューとを含むことを特徴とする請求項９に記載の種子付着装置。 
【請求項１１】
更に、前記押圧ローラは、外周面に軟質のクッションパッドが付着したことを含むことを特徴とする請求項９に記載の種子付着装置。 
【請求項１２】
前記種子回収部は、上部が開放し、落下する種子が収容される種子回収管と、前記種子回収管の内部に、落下して収容された種子を一側に排出するように回転される回収スクリューとを含むことを特徴とする請求項９に記載の種子付着装置。
【発明の詳細な説明】
【技術分野】
【０００１】
本発明は、種子付着装置に関し、より詳しくは、移送されるマルチフィルムに種子を付着するための接着剤がムラなく塗布されると共に、該接着剤が塗布された部分に種子が固着した後に移送される過程で、接着剤が速かに乾燥し、且つ、巻取りが行われるようにした種子付着装置に関する。 
【背景技術】
【０００２】
一般に、作物を栽培する方法としては、大別して、種子を直接散らかす直播農法と、苗床又は育苗器具で苗を育苗後、本圃に田植えする栽培方法とがある。 
【０００３】
近年、除草剤や農薬などを使わない有機農法の一つとして、作物を栽培することにおいて、土壌の表面をマルチ素材で覆う農法であるマルチ栽培技術が広がってある。 
【０００４】
このようなマルチ栽培技術は、雑草の生育を抑制させ、地温を維持及び保温すると共に、土壌浸食を防止、土壌水分の維持、土壌伝染性病菌の防止、及び土壌汚染の防止などといった優れた効率性を持つ。また、マルチ栽培技術は、様々な農作物はもちろん、果物類の栽培にも応用されており、さらには、きのこ類及び園芸植物などの栽培にも適用されており、その適用範囲が拡大して適用されている。 
【０００５】
このように、土壌の表面を覆うマルチング素材としては、従来は、稲わら、麦わら、牧草などを用いたが、近年には、ポリエチレンや生分解性分を有するフィルムなどのようなビニルフィルムや紙フィルムなどを用いている。 
【０００６】
前記のように、マルチ栽培技術に用いられるマルチフィルムに所望する種子を付着することになり、このようなマルチフィルムに種子を付着する先行技術としては、本発明者によって先出願して登録を受けた大韓民国登録特許第10-1006144号(以下、‘先行技術文献１’という)がある。 
【０００７】
また、大韓民国登録特許第10-1227810号(以下、‘先行技術文献２’という)と、大韓民国登録特許第10-1252181号(以下、‘先行技術文献３’という)とがある。 
【先行技術文献】
【特許文献】
【０００８】
【特許文献１】大韓民国登録特許第10-1006144号
【特許文献２】大韓民国登録特許第10-1227810号
【特許文献３】大韓民国登録特許第10-1252181号
【発明の概要】
【発明が解決しようとする課題】
【０００９】
しかし、先行技術文献１においては、種子を付着するために塗布した接着剤が、正しく乾燥しない状態でマルチフィルムが巻き取られることによって、巻取ドラムで巻き取られた種子が、巻き取られたマルチフィルムの接着剤によってくっついてしまうため、被覆作業がスムーズに行なわれないという不都合があった。 
【００１０】
先行技術文献２〜３は、刃による単純切開によって形成される発芽隙間が微細に形成されることによって、種子がスムーズに発芽しない原因を提供した。すなわち、刃によって形成された発芽隙間を切開した形状に長く形成されることによって、雑草が多く発生するため、マルチング効果も極めて低下するという不都合もあった。特に、離型紙が除去されない場合、その部位に付着された種子が発芽しないという問題点ももたらした。
【００１１】
前記のような従来の諸問題点を解決するための本発明は、本発明人が先出願して登録を受けた大韓民国登録特許第10-1006144号を基に開発したものであって、その主な解決課題は、移送されるマルチフィルムに種子を付着するための接着剤がムラなく塗布されると共に、その接着剤が塗布された部分に種子が固着した後に移送される過程で、接着剤が速かに乾燥し、且つ、巻取りが行われるようにした種子付着装置を提供することにある。 
【００１２】
本発明を解決するための他の解決課題は、種子が付着された後にマルチフィルムが巻き取られる過程で、簡単な構造によって、千鳥状にスムーズに巻き取られるようにすることにある。 
【００１３】
また、本発明を解決するための他の解決課題は、種子の他に、添加剤もスムーズに付着させることにある。 
【００１４】
更に、本発明を解決するための他の解決課題は、マルチフィルムを供給した後に停止した過程において、巻ほぐれを防止することにある。 
【００１５】
なお、本発明を解決するための他の解決課題は、マルチフィルムへの種子付着が、より一層緊密に行われるようにすることにある。 
【課題を解決するための手段】
【００１６】
前記のような技術的課題を解決するための本発明の解決手段は、マルチ栽培技術に用いられるマルチフィルムに種子を付着するための種子付着装置であって、前記種子付着装置は、本体フレームの後方に、マルチフィルムが巻き取られた供給ボビンが据え置きされるマルチフィルム供給部と、前記本体フレームに、マルチフィルム供給部から供給されるマルチフィルムが、複数のアイドルローラを介して移送されるガイド移送部と、前記マルチフィルム供給部の下部に、移送されるマルチフィルムに接着剤が塗布され、発芽孔が開けるように設けられる移送ローラと、前記移送ローラの一側に、マルチフィルムに種子付着のための接着剤を塗布する接着剤塗布部と、前記接着剤塗布部の反対側に、該塗布した接着剤の両側のマルチフィルムで発芽孔を開ける発芽孔穿孔部と、前記本体フレームの前方に移送されるマルチフィルムの接着剤が塗布された部分に、ひるように種子を付着する種子取付部と、前記種子取付部の上部に種子が付着した接着剤を、送風によって乾燥する乾燥部と、前記乾燥部の前方に接着剤が乾燥し、種子が付着されたマルチフィルムを駆動手段によって回転し、且つ巻き取る巻取部とを含む。
【００１７】
前記移送ローラは、中間にマルチフィルムを支持する第１の支持突起と、該第１の支持突起の両側に所定の間隔で形成されるそれぞれの第２の支持突起とが、一定の間隔を置いて複数形成される。 
【００１８】
前記接着剤塗布部は、接着剤が排出され、且つ、第１の支持突起により支持されるマルチフィルムと接するように、所定の間隔で形成される複数の接着剤排出ノズルと、前記接着剤排出ノズルの下部に塗布された接着剤をムラなく広がるように設けられるそれぞれの塗布ブラシとを含む。 
【００１９】
前記発芽孔穿孔部は、前記第１の支持突起の両側の第２の支持突起の間で、マルチフィルムにそれぞれの発芽孔を開けるように設けられる一対の穿孔ヒータである。 
【００２０】
前記種子取付部は、付着しようとする種子が収容される円弧状の種子収容フレームと、前記種子収容フレームの下部に、駆動手段と連結される動力伝達部材によって回転される複数のカムによって、上下に旋回運動しながら移送されるマルチフィルムに塗布された接着剤部分に、種子を付着する旋回駆動部とを含む。 
【００２１】
前記乾燥部は、一側に設けられる送風機と、前記送風機に連結管で連結され、マルチフィルムの幅と同一又は大きい幅に形成されるエアチャンバと、前記エアチャンバのマルチフィルムが移送される面に、そのマルチフィルムに付着した種子の間隔で、複数の排気孔が並んで形成されてエアを排気する排気部とを含む。
【００２２】
前記巻取部は、一端が駆動手段によって回転し、且つ、巻取ボビンの一端が結合される回転支持具と、他端にシリンダによって、巻取ボビンの他端を脱着自在にに設ける脱着支持具とを含み、前記回転支持具及び脱着支持具は、巻取ボビンに巻き取られるマルチフィルムに付着された種子が、千鳥状に巻き取られるように設けられる整列手段とを含む。 
【００２３】
前記整列手段は、回転支持具及び脱着支持具が左右に繰り返すように摺動可能に設けられるスライド部材と、前記一側のスライド部材と駆動源によって回転されるカムに連結される複数の連結リンクとを含む。 
【００２４】
前記種子取付部と乾燥部の間のマルチフィルムが移送されるアイドルローラの下部に、前記種子取付部と同一の構造の種子が付着した接着剤で、添加剤を付着するための添加剤取付部を含む。 
【００２５】
前記マルチフィルム供給部には、マルチフィルムが巻き取られた供給ボビンの両側を支持する一対のアイドルボビン軸に、巻きほぐれ防止のための一対のディスクパッドを含む。 
【発明の効果】
【００２６】
本発明は、移送されるマルチフィルムに種子を付着するための接着剤がムラなく塗布されると共に、その接着剤が塗布された部分に種子が固着した後に移送される過程で、接着剤が速かに乾燥し、且つ巻取りが行われるようにすることにより、マルチフィルムへの種子付着がスムーズに行われることは勿論、種子の付着後に接着剤を乾燥することによって、巻き取られたマルチフィルムが、接着剤によって取り付けられる不良発生を防止すると共に、地面への被覆時、被覆効率性も向上させる。 
【００２７】
また、種子の付着後にマルチフィルムが巻き取られる過程において、簡単な構造で千鳥状にスムーズに巻き取られるようにすることで、マルチフィルムの巻取り効率性を向上すると共に、付着された種子によるマルチフィルムの損傷や裂けが発生しないため、生産効率性も増大することができる。 
【００２８】
更に、種子の他に添加剤も、スムーズに取り付けられることで、種子の発芽及び生育をより一層促進させ、且つ、病虫害も防止して、作物の生産効率性を極大化させる。 
【００２９】
また、マルチフィルムを供給した後、停止された過程において、巻きほぐれを防止することで、種子付着の作業が煩わしい過程なく、連続的且つ持続的に行われると共に、種子が付着されたマルチフィルムの生産効率性も増大させる。 
【００３０】
更に、マルチフィルムに種子付着がより緊密になることで、種子付着の効率性を極大化させることができる。 
【図面の簡単な説明】
【００３１】
【図１】図１は、本発明を説明するための斜視図である。
【図２】図２は、図１によるマルチフィルムの供給、移送、及び巻取り過程を説明するための側断面図である。
【図３】図３は、本発明の接着剤塗布部及び発芽孔穿孔部を説明するための抜粋図である。
【図４】図４は、本発明の種子取付部を説明するための側面図である。
【図５】図５は、本発明の乾燥部を説明するための側面図である。
【図６】図６は、本発明の巻取部及び整列手段を説明するための正面図である。
【図７】図７は、本発明の他の実施例を説明するための側面図である。
【図８】図８は、本発明の更に他の実施例を説明するための側面図である。
【図９】図９は、本発明の更に他の実施例を説明するための一部拡大側断面図である。
【発明を実施するための形態】
【００３２】
以下、本発明の好適な実施例を、添付の図面を参考してより詳しく説明すると、以下の通りであり、本発明は、実施例により限定されるものではない。
【００３３】
図１は、本発明を説明するための斜視図であり、図２は、図１によるマルチフィルムの供給、移送、及び巻取り過程を説明するための側断面図であり、図３は、本発明の接着剤塗布部及び発芽孔穿孔部を説明するための抜粋図であり、図４は、本発明の種子取付部を説明するための側面図であり、図５は、本発明の乾燥部を説明するための側面図であり、図６は、本発明の巻取部及び整列手段を説明するための正面図である。 
【００３４】
図示しているように、除草剤や農薬などを使わない有機農法の１つとして、作物を栽培することにおいて、土壌の表面をマルチング素材で覆う農法であるマルチ栽培技術で用いられるマルチフィルム(Ｐ)に、種子を付着するための種子付着装置１を示している。 
【００３５】
本発明は、移送されるマルチフィルムに種子を付着するための接着剤がムラなく塗布されると共に、その接着剤が塗布された部分に種子が固着した後に移送される過程で、接着剤が速かに乾燥し、且つ巻取りが行われるようにする。 
【００３６】
本発明による前記種子付着装置１は、通常の枠状である本体フレーム１Ａの後方に、マルチフィルム(Ｐ)が巻き取られた供給ボビン１２が据え置きされるマルチフィルム供給部１０を設ける。 
【００３７】
マルチフィルム供給部１０は、マルチフィルム(Ｐ)が巻き取られた供給ボビン１２の両側を支持する一対のアイドルボビン軸１４で構成され、一側のアイドルボビンは、供給ボビンの脱着のために、通常の方式によって左右に摺動可能に設けられる。ここで、一対のアイドルボビン軸は、ベアリングなどによって回転自在に設けられる。 
【００３８】
また、前記本体フレーム１Ａに、マルチフィルム供給部１０から供給されるマルチフィルム(Ｐ)が、本体フレーム上にベアリングなどによる通常の方式で回転自在に設けられる複数のアイドルローラ２２を介して、移送するように設けられるガイド移送部２０を含む。
【００３９】
すなわち、ガイド移送部の複数のアイドルローラは、マルチフィルムが移送される過程で、方向転換とスムーズな移送のために回転自在に設けられ、必要によって、公知の方式によって、マルチィルムの張力を調節するための張力調節手段を含むことができる。 
【００４０】
また、前記マルチフィルム供給部１０の下部に移送されるマルチフィルム(Ｐ)に接着剤が塗布され、発芽孔が開けるように設けられる移送ローラ３０を含む。 
【００４１】
言い換えると、移送ローラ３０は、別の駆動手段によって回転されるが、後述する巻取部の駆動手段と、通常の動力伝達方式によって回転させてもよい。 
【００４２】
移送ローラ３０は、マルチフィルム(Ｐ)の一面が覆われた後、ガイド移送部に移送されるものであって、接着剤の塗布と発芽孔の穿孔がスムーズに行われる構造を有する。すなわち、中間にマルチフィルム(Ｐ)を支持する第１の支持突起３２と、その第１の支持突起３２の両側に所定の間隔で形成されるそれぞれの第２の支持突起３４とが、一定の間隔を置いて複数形成されることを更に含む。ここで、第１及び２の支持突起は、移送ローラの表面から所定の高さに突設される。 
【００４３】
これにより、後述する接着剤塗布部において、第１の支持突起により支持されるマルチフィルムの表面に接着剤が塗布され、前記第１の支持突起と、その両側に位置した第２の支持突起との間に、後述の発芽孔穿孔部によって、スムーズに穿孔が行われる。 
【００４４】
合わせて、前記移送ローラ３０の一側に、マルチフィルム(Ｐ)に種子付着のための接着剤を塗布する接着剤塗布部４０を含み、前記接着剤塗布部４０の反対側に、その塗布された接着剤の両側のマルチフィルム(Ｐ)で、発芽孔(Ｐ１)を開ける発芽孔穿孔部５０を備える。 
【００４５】
接着剤塗布部４０は、接着剤が排出され、且つ、第１の支持突起３２により支持されるマルチフィルム(Ｐ)と接するように、所定の間隔で形成される複数の接着剤排出ノズル４２と、前記接着剤排出ノズル４２の下部に塗布した接着剤をムラなく広げる塗布ブラシ４４とを含む。ここで、接着剤排出ノズルと塗布ブラシは、通常の専用治具、ブラケット、又は装着ブロックなどによって、本体フレームに固定される。 
【００４６】
これにより、接着剤排出ノズルから排出される接着剤は、第１の支持突起で支持されるマルチフィルムに排出されながら塗られることになり、このようにマルチフィルムに塗られた接着剤は、塗布ブラシによって、その塗布ブラシの幅分だけ、ムラなく広がるように塗布される。 
【００４７】
このように、接着剤が塗布・移送されるマルチフィルム(Ｐ)には、発芽孔穿孔部５０により、接着剤が塗布された両側に発芽孔(Ｐ１)を開けることになるが、該発芽孔穿孔部５０は、前記第１の支持突起３２の両側の第２の支持突起３４の間で、マルチフィルム(Ｐ)に、それぞれの発芽孔(Ｐ１)を開ける一対の穿孔ヒータ５２で構成される。ここで、穿孔ヒータは、電気エネルギーによる電熱ヒータであって、巻き取られた幅分だけ、発芽孔の幅を決める。さらに、マルチフィルムは、合成樹脂であって、熱によって容易に開けることになり、穿孔ヒータに接触と共に溶け込んで発芽孔を開けることで、被覆後の種子の発芽がスムーズに行われる。 
【００４８】
そして、前記本体フレーム１Ａの前方に移送されるマルチフィルム(Ｐ)に接着剤が塗布された部分に、ひるように種子を付着する種子取付部６０を含む。 
【００４９】
種子取付部６０は、付着しようとする種子が収容される円弧状の種子収容フレーム６２と、前記種子収容フレーム６２の下部にモータなどの駆動手段６５аと連結される通常のリンク、ホイール、及びベルト、又はスプロケット及びチェーンなどのような公知の動力伝達部材６５ｂで回転される複数のカム６５ｃによって、上下に旋回運動しながら移送されるマルチフィルム(Ｐ)に塗布された接着剤部分に種子を付着する旋回駆動部６５とを含む。前記種子収容フレームの底面には、種子をマルチフィルムに付着することに当たり、緊密な密着力を有し、且つ、スムーズな付着のために、通常の緩衝パッド６２аを設けるのが望ましい。 
【００５０】
前記種子収容フレームへの種子供給は、公知の方式によって、その種子収容フレームの一側に、一定量ずつ持続的に供給が行われる。 
【００５１】
これにより、ガイド移送部のアイドルローラを通じて移送されるマルチフィルムの接着剤が塗布された部分に、駆動手段と動力伝達部材で回転される複数のカムで構成される旋回駆動部によって、上下に旋回運動する種子収容フレームに収容された種子が、マルチフィルムと瞬時に固着されることによって、マルチフィルムの接着剤が塗布され部分への種子がスムーズに付着される。 
【００５２】
合わせて、前記種子取付部６０の上に、種子が付着された接着剤を、送風で乾燥する乾燥部７０を含む。 
【００５３】
言い換えると、マルチフィルムに塗布された接着剤は、種子が付着しない部分によって、マルチフィルムの間に互いに接着されることがあり、これを解消する技術的構成を供する。 
【００５４】
乾燥部７０は、一側に設けられる送風機７２と、前記送風機７２に連結管で連結され、マルチフィルム(Ｐ)の幅と同一又は大きい幅に形成されるエアチャンバ７４と、前記エアチャンバ７４のマルチフィルム(Ｐ)が移送される面に、そのマルチフィルム(Ｐ)に付着した種子間隔で複数の排気孔が並んで形成され、エアを排気する排気部７６とを含む。 
【００５５】
すなわち、乾燥部は、マルチフィルムの接着剤が塗布した部分に種子が付着された後に移送される過程で、その接着剤が速かに乾燥して硬化するように、送風機で送風されたエアを、エアチャンバから各排気部を介して種子が付着された接着剤が塗布された部分にのみ供給することによって、種子が付着した接着剤部分が移送される過程で速かに硬化することによって、後述する巻取部でマルチフィルムが巻き取られる過程において、マルチフィルムの間で接着剤によって接着される問題点を根本的に解決することができる。 
【００５６】
また、接着剤で種子が付着された状態で硬化されることにより、付着した種子は落ちることなく、固着するというメリットを有する。 
【００５７】
これにより、乾燥部は、種子が付着された後、接着剤をエアによって速かに硬化することで、種子付着が完了し、マルチフィルムが巻き取られる過程で、接着剤によってマルチフィルムの間に付着される現象を防止する。これにより、地面での被覆作業時に、不良発生を最小化することができる。 
【００５８】
そして、前記乾燥部７０の前方に接着剤が乾燥し、種子が付着されたマルチフィルム(Ｐ)を、通常のモータなどのような駆動手段によって回転させながら巻き取る巻取部８０を含む。 
【００５９】
巻取部８０は、一端が駆動手段によって回転しながら、巻取ボビン８２の一端が、通常の方式で回転可能に結合される回転支持具８４と、他端にシリンダによって巻取ボビン８２の他端を脱着自在に、且つ、通常の方式により回転自在に設けられる脱着支持具８６とを含み、前記回転支持具８４及び脱着支持具８６は、巻取ボビン８２で巻き取られるマルチフィルム(Ｐ)に付着した種子が、千鳥状に巻き取られるように設けられる整列手段９０とを含む。 
【００６０】
すなわち、巻取ボビンで種子が付着されたマルチフィルムが巻き取られる過程において、種子は、マルチフィルム上に一定の幅で等しい位置に付着されることで、その種子が重ね合って巻き取られる部分のマルチフィルムは、種子間に干渉で裂けるか、種子の重ね合わせる部分が目立つことになって、スムーズに巻取りが行われない。 
【００６１】
これにより、マルチフィルムに付着された種子部分が、整列手段によって千鳥状に互いにずらして巻き取られることにより、マルチフィルムは、裂けるか、目立つことなく、比較的にムラなく巻取りが行われることになる。
【００６２】
整列手段９０は、回転支持具８４及び脱着支持具８６が左右に繰り返すように、摺動可能に設けられるスライド部材９２と、前記回転支持具８４の装着板８４Аと、モータなどのような駆動源９４によって回転されるカム９５に連結される複数の連結リンク９６とを含む。ここで、前記回転支持具及び脱着支持具は、通常のそれぞれの装着板に設けられる。 
【００６３】
スライド部材９２は、回転支持具８４及び脱着支持具８６が設けられた各装着板８４Аと、本体フレーム１Ａに装着された各固定板１Ｂとの間に、通常のガイドレールとガイド具などで構成され、前記装着板と固定板を摺動可能に備える公知のいずれの手段を適用してもよい。 
【００６４】
これにより、駆動源で回転されるカムにより回動される複数の連結リンクによって、回転支持具と脱着支持具は、左右に摺動及び往復されることによって、種子が付着されたマルチフィルムが巻き取られる過程において、種子の付着した部分が重ね合わせることなく、千鳥状に繰り返すように巻き取られることで、マルチフィルムが均一な状態で巻取りが行われる。 
【００６５】
これにより、種子が付着された状態でも、マルチフィルムが巻き取られるときでも、マルチフィルムが損傷するか、裂けることなく巻取られることで、不良発生も最小化することができる。 
【００６６】
そこで、本発明は、種子を付着するための接着剤塗布において、発芽孔穿孔と接着剤への種子付着は言うまでもなく、種子が付着した接着剤部分を硬化させた後、巻き取ると共に、巻取りに際して、種子間に持続的に重ね合わせることなく、千鳥状に巻き取ることで、複雑且つ煩わしさことなく、マルチフィルムへの種子付着が速かに行えて、高い生産効率性を有し、且つ、種子が付着した後に巻き取られる過程でも、マルチフィルムが損傷するか、裂けることなく、スムーズに巻き取られて、不良発生も最小化することができる。 
【００６７】
図７は、本発明の他の実施例を説明するための側面図である。 
【００６８】
図７に示しているように、前記の構成において、種子が付着した後、乾燥部に移送される前に、その付着した種子がスムーズに発芽された後、生育もスムーズに行われるようにし、且つ、病虫害防止のための技術的構成を示す。 
【００６９】
種子取付部６０と乾燥部７０の間のマルチフィルムが移送されるアイドルローラの下に、前記種子取付部６０と同じ構造の種子が付着された接着剤で、添加剤を付着するための添加剤取付部６０Аを更に含む。ここで、添加剤とは、栄養成分の肥料や、病虫害を防止するための殺虫剤又は殺菌剤などをいい、その他に要する公知された各種子の副産物などを含む。 
【００７０】
すなわち、添加剤取付部は、前述した種子取付部と同一の技術的構成を有するので、詳細な説明は省略し、添加剤取付部の駆動は、種子取付部の駆動手段と公知の方式で連結して連動されることは言うまでもなく、必要によって、別の駆動手段、動力伝達部材、及び複数のカムを備えて駆動してもよい。 
【００７１】
これにより、種子付着と共に、その種子が生育する過程で要する栄養成分や病虫害なども予防することによって、煩わしさや不便さなく、種子の成長効率性を極大化することができ、以て、生産効率性も極大化させる。 
【００７２】
図８は、本発明の更に他の実施例を説明するための側面図である。 
【００７３】
図８に示しているように、前記構成において、マルチフィルム供給部の供給ボビンは、回転自在に設けられるので、種子付着装置の駆動が停止又は作動中に仮停止される場合、回転力でマルチフィルムが巻きほぐれることがあり、これを防止するための構成を提示する。この時、マルチフィルムがほぐれることになると、再度、種子を付着、駆動する過程で、そのほぐれた部分のマルチフィルムが巻かれて、スムーズな移送が行われないという不都合を改善するためである。 
【００７４】
マルチフィルム供給部１０には、マルチフィルム(Ｐ)が巻き取られた供給ボビン１２の両側を支持する一対のアイドルボビン軸１４に、巻きほぐれを防止するための通常の構造を有する一対のディスクパッド１４Аを含む。 
【００７５】
ディスクパッドは、一端が回転自在にピン結合又はヒンジ結合され、他端は、バネなどによって連結されて、前記アイドルボビン軸を取り囲む程度、すなわち回転が止めた時、回転しない程度に取り囲むように連結される。 
【００７６】
これにより、もし、種子を付着する過程で停止又は異常などによる異常発生時にも、供給ボビンに巻き取られたマルチフィルムが、アイドルボビン軸に設けられたディスクパッドによって、更に回転しないため、マルチフィルムの巻きほぐれを防止することで、再度、種子を付着するために、駆動時にも安定して種子の付着作業が行なわれるようにする。 
【００７７】
合わせて、前記ディスクパッドは、一例として説明したものであって、前記アイドルボビン軸が回転力によって回転が行われないようにする公知のいずれの技術的構成を適用してもよい。 
【００７８】
図９は、本発明の更に他の実施例を説明するための一部拡大側断面図である。 
【００７９】
図９に示しているように、前記した構成において、マルチフィルムに塗布した接着剤で、種子付着をより緊密にすることはもちろん、付着されない種子も容易に回収する種子取付部の他の実施例を説明すると、以下の通りである。 
【００８０】
前記種子取付部６０は、接着剤が塗布した側の移送されるマルチフィルム(Ｐ)の上に位置して、種子を移送と共に排出させ、接着剤で種子が付着するように供給する種子供給部６１０と、前記種子供給部６１０の下部マルチフィルム(Ｐ)が移送されるガイドローラ２２の前方に、前記接着剤で付着した種子を押圧によって付着する押圧ローラ６２０と、前記押圧ローラ６２０とガイドローラ２２の下方に、接着剤で付着しない種子を回収する種子回収部６３０とを含む。 
【００８１】
前記種子供給部６１０と種子回収部６３０が設けられるガイドローラ２２は、前記の発芽孔穿孔部５０と乾燥部７０との間で、マルチフィルム(Ｐ)をガイドするガイドローラ２２に設けられる。すなわち、複数のガイドローラのうち、前記種子供給部と種子回収部を設けるために、少なくとも１以上のガイドローラを更に配置して、種子の付着と回収がスムーズに行えるようにする。 
【００８２】
種子供給部６１０は、底面にマルチフィルム(Ｐ)に塗布した接着剤と同一の位置に形成され、種子が排出される複数の排出孔６１２が形成される種子供給管６１４と、前記種子供給管６１４の内部に前記排出孔６１２に種子が排出するように、駆動源によって回転しながら種子を移送させる移送スクリュー６１６とを含む。ここで、前記移送スクリューと後述の回収スクリューは、図示しない１つの駆動源によって、通常のプーリによるベルト、又はスプロケットによるチェーン又はギアの噛合などのような動力伝達部材によって、同一の速度で回転される。また、前記種子供給管の一側には、図示しない種子が貯蔵された種子貯蔵筒が設けられる。 
【００８３】
これにより、種子供給管内で回転される移送スクリューにより、種子を移送させると共に、その種子供給管の底面に形成された排出孔を通じて、種子が下部に落下するように供給する。これによって、排出孔から落下して供給される種子は、移送されるマルチフィルムに塗布した接着剤で付着される。すなわち、接着剤によって種子は、仮付着した状態となる。 
【００８４】
このように、種子供給部から供給された種子が、マルチフィルムの接着剤で付着された後に移送される過程において、種子は、押圧ローラによって再び押圧されることにより、接着剤への種子が確実に付着するため、マルチフィルムが移送される過程で落ちない。ここで、前記押圧ローラ６２０は、外周面に、通常のゴムやシリコンなどのような軟質のクッションパッド６２２が付着されることを更に含む。 
【００８５】
すなわち、接着剤で押圧ローラが種子を押圧することに当たり、クッションパッドでゆっくり押圧することによって、種子は損傷することなく、接着剤への種子が固着される。それによって、マルチフィルムが移送される過程で、接着剤で付着された種子が落下することを根本的に防止することができる。 
【００８６】
種子回収部６３０は、上部が開放し、落下する種子を収容する種子回収管６３２と、前記種子回収管６３２の内部に、落下して収容された種子を一側に排出するように回転される回収スクリュー６３４とを含む。ここで、種子が排出される種子回収管の一側には、通常の回収筒などを備える。 
【００８７】
種子回収管の開放した部分は、上側は、落下する種子がスムーズに収容するように広く形成され、下側は、回収スクリューがスムーズに回転しながら、一側に排出する管状に形成される。 
【００８８】
これによって、種子供給部を通じて、マルチフィルムの接着剤で付着されない種子は、下部に落下することになるが、ここで、下部に落下する種子は、種子回収管に落下して収容されると共に、回収スクリューによって、一側に排出しながら回収筒に回収される。このように、回収筒に回収された種子は、再度、種子供給部に設けられる種子貯蔵筒に供給する。 
【００８９】
これによって、種子の付着はもちろん、付着されない種子を回収して再使用することで、種子の損失を防止することにより、優れた経済性を有する。 
【００９０】
前述したように、本発明の他の実施例の種子取付部は、接着剤が塗布して移送されるマルチフィルムに、種子の供給がスムーズに行えるようにし、且つ、接着剤への種子付着も正確且つ確実に行われるようにすると共に、接着剤で付着しない種子の回収が行えるようにすることで、種子付着に対する効率性を極大化させる。 
【符号の説明】
【００９１】
１: 種子付着装置
１А: 本体フレーム 
１Ｂ: 固定板
１０: マルチフィルム供給部 
１２: 供給ボビン
１４: アイドルボビン軸
１４А: ディスクパッド
２０: ガイド移送部 
２２: アイドルローラ
３０: 移送ローラ 
３２: 第１の支持突起
３４: 第２の支持突起 
４０: 接着剤塗布部
４２: 接着剤排出ノズル 
４４: 塗布ブラシ
５０: 発芽孔穿孔部 
５２: 穿孔ヒータ
６０: 種子取付部 
６０А: 添加剤取付部
６２: 種子収容フレーム
６２а: 緩衝パッド
６５: 旋回駆動部 
６５а: 駆動手段
６５ｂ: 動力伝達部材 
６５ｃ、９５: カム
６１０: 種子供給部 
６１２: 排出孔
６１４: 種子供給管 
６１６: 移送スクリュー
６２０: 押圧ローラ 
６２２: クッションパッド
６３０: 種子回収部 
６３２: 種子回収管
６３４: 回収スクリュー 
７０: 乾燥部
７２: 送風機 
７４: エアチャンバ
７６: 排気部 
８０: 巻取部
８２: 巻取ボビン 
８４: 回転支持具
８４А: 装着板 
８６: 脱着支持具
９０: 整列手段 
９２: スライド部材
９４: 駆動源 
９６: 連結リンク
Ｐ: マルチフィルム 
Ｐ１: 発芽孔
【図１】
0006432949.tif 000002
【図２】
0006432949.tif 000003
【図３】
0006432949.tif 000004
【図４】
0006432949.tif 000005
【図５】
0006432949.tif 000006
【図６】
0006432949.tif 000007
【図７】
0006432949.tif 000008
【図８】
0006432949.tif 000009
【図９】
0006432949.tif 000010